(57)【要約】  多重リソースセットの構成システム及び方法は、物理層（ＰＨＹ）チャネルに関連付けられる構成を取得することを含む。本システムは、複数のリソースから該構成に対応するリソースセットを選択する。本システムは、選択されたリソースセットから実際のリソースを決定する。次に、本システムは、決定された実際のリソースにおいて、トランシーバが対応するＰＨＹ信号を送信又は受信するようにする。
2021506155.tif 000002
【特許請求の範囲】
【請求項１】
広帯域セルラーネットワークにおける無線通信に役立つステーションであって、
トランシーバと、
１つ又は複数のメモリと、
前記１つ又は複数のメモリに結合される１つ又は複数のプロセッサと、を備え、前記１つ又は複数のプロセッサは、
物理層（ＰＨＹ）チャネルに関連する構成を取得し、
複数のリソースから前記構成に対応するリソースセットを選択し、
選択されたリソースセットから実際のリソースを決定し、および
決定された実際のリソースにおいて、前記トランシーバが対応するＰＨＹ信号を送信又は受信するようにするように構成される、前記広帯域セルラーネットワークにおける無線通信に役立つステーション。
【請求項２】
ＰＨＹチャネルに関連する構成は、復調用参照信号（ＤＭ−ＲＳ）マッピングタイプ、帯域幅部分（ＢＷＰ）構成、コンポーネントキャリア、サービングセル、伝送波形、多重アクセススキーム又は物理ダウンリンク制御チャネル（ＰＤＣＣＨ）構成を含む
請求項１に記載のステーション。
【請求項３】
前記トランシーバは、基地局から第１メッセージを受信するように構成され、前記構成は、前記第１メッセージに基づいて取得される
請求項１又は２に記載のステーション。
【請求項４】
前記トランシーバは、基地局から第２メッセージを受信するように構成され、前記第２メッセージに含まれる指示に従って前記実際のリソースを決定するように構成される
請求項１〜３のいずれか１項に記載のステーション。
【請求項５】
異なる構成が、異なるリソースセットに対応する
請求項１〜４のいずれか１項に記載のステーション。
【請求項６】
前記ＰＨＹチャネルに対して複数のリソースセットを構成し、異なる構成が、異なるリソースセットに対応することは、
各前記ＤＭ−ＲＳマッピングタイプが各リソースセットに対応すること、又は
各前記ＢＷＰ構成が各リソースセットに対応すること、又は
各前記コンポーネントキャリアが各リソースセットに対応すること、又は
各前記サービングセルが各リソースセットに対応すること、又は
各前記伝送波形が各リソースセットに対応すること、又は
前記多重アクセススキームのそれぞれが各リソースセットに対応すること、又は
各前記ＰＤＣＣＨ構成が各リソースセットに対応することを含む
請求項２に記載のステーション。
【請求項７】
前記ＰＨＹチャネルは、物理ダウンリンク（ＤＬ）共有チャネル（ＰＤＳＣＨ）、物理アップリンク（ＵＬ）共有チャネル（ＰＵＳＣＨ）、物理ＤＬ制御チャネル（ＰＤＣＣＨ）、物理ＵＬ制御チャネル（ＰＵＣＣＨ）及び物理ランダムアクセスチャネル（ＰＲＡＣＨ）を含む
請求項１に記載のステーション。
【請求項８】
方法であって、
物理層（ＰＨＹ）チャネルに関連する構成を取得することと、
複数のリソースから前記構成に対応するリソースセットを選択することと、
選択されたリソースセット又は選択された第２リソースセットから実際のリソースを決定することと、
決定された実際のリソースにおいて、トランシーバが対応するＰＨＹ信号を送信又は受信するようにすることと、を含む、前記方法。
【請求項９】
ＰＨＹチャネルに関連する構成は、復調用参照信号（ＤＭ−ＲＳ）マッピングタイプ、帯域幅部分（ＢＷＰ）構成、コンポーネントキャリア、サービングセル、伝送波形、多重アクセススキーム又は物理ダウンリンク制御チャネル（ＰＤＣＣＨ）構成を含む
請求項８に記載の方法。
【請求項１０】
前記トランシーバが基地局から第１メッセージを受信することを更に含み、前記構成は、前記第１メッセージに基づいて取得される
請求項８又は９に記載の方法。
【請求項１１】
前記トランシーバが基地局から第２メッセージを受信することを更に含み、
前記第２メッセージに含まれる指示に従って前記実際のリソースを決定する
請求項８〜１０のいずれか１項に記載の方法。
【請求項１２】
異なる構成が、異なるリソースセットに対応する
請求項８〜１１のいずれか１項に記載のステーション。
【請求項１３】
前記ＰＨＹチャネルに対して複数のリソースセットを構成し、異なる構成が、異なるリソースセットに対応することは、
各前記ＤＭ−ＲＳマッピングタイプが各リソースセットに対応すること、又は
各前記ＢＷＰ構成が各リソースセットに対応すること、又は
各前記コンポーネントキャリアが各リソースセットに対応すること、又は
各前記サービングセルが各リソースセットに対応すること、又は
各前記伝送波形が各リソースセットに対応すること、又は
前記多重アクセススキームのそれぞれが各リソースセットに対応すること、又は
各前記ＰＤＣＣＨ構成が各リソースセットに対応することを含む
請求項９に記載のステーション。
【請求項１４】
前記ＰＨＹチャネルは、物理ダウンリンク（ＤＬ）共有チャネル（ＰＤＳＣＨ）、物理アップリンク（ＵＬ）共有チャネル（ＰＵＳＣＨ）、物理ＤＬ制御チャネル（ＰＤＣＣＨ）、物理ＵＬ制御チャネル（ＰＵＣＣＨ）、物理ランダムアクセスチャネル（ＰＲＡＣＨ）を含む
請求項８に記載の方法。
【請求項１５】
非一時的コンピュータ可読記憶媒体であって、
コンピュータ実行可能命令が記憶され、１つ又は複数のプロセッサが前記命令を実行するとき、１つ又は複数のプロセッサに、
物理層（ＰＨＹ）チャネルに関連する構成を取得することと、
複数のリソースから前記構成に対応するリソースセットを選択することと、
選択されたリソースセットから実際のリソースを決定することと、
決定された実際のリソースにおいて、トランシーバが対応するＰＨＹ信号を送信又は受信するようにすることと、を含む操作を実行させる、前記非一時的コンピュータ可読記憶媒体。
【請求項１６】
前記ＰＨＹチャネルに関連する構成は、復調用参照信号（ＤＭ−ＲＳ）マッピングタイプ、帯域幅部分（ＢＷＰ）構成、コンポーネントキャリア、サービングセル、伝送波形、多重アクセススキーム又は物理ダウンリンク制御チャネル（ＰＤＣＣＨ）構成を含む
請求項１５に記載の非一時的コンピュータ可読記憶媒体。
【請求項１７】
前記トランシーバが基地局から第１メッセージを受信するようにすることを更に含み、前記構成は、前記第１メッセージに基づいて取得される
請求項１５又は１６に記載の非一時的コンピュータ可読記憶媒体。
【請求項１８】
前記トランシーバが基地局から第２メッセージを受信するようにすることを更に含み、
前記第２メッセージに含まれる指示に従って前記実際のリソースを決定する
請求項１５〜１７のいずれか１項に記載の非一時的コンピュータ可読記憶媒体。
【請求項１９】
異なる構成が、異なるリソースセットに対応する
請求項１５〜１８のいずれか１項に記載の非一時的コンピュータ可読記憶媒体。
【請求項２０】
前記ＰＨＹチャネルに対して複数のリソースセットを構成し、異なる構成が、異なるリソースセットに対応することは、
各前記ＤＭ−ＲＳマッピングタイプが各リソースセットに対応すること、又は
各前記ＢＷＰ構成が各リソースセットに対応すること、又は
各前記コンポーネントキャリアが各リソースセットに対応すること、又は
各前記サービングセルが各リソースセットに対応すること、又は
各前記伝送波形が各リソースセットに対応すること、又は
前記多重アクセススキームのそれぞれが各リソースセットに対応すること、又は
各前記ＰＤＣＣＨ構成が各リソースセットに対応することを含む
請求項１６に記載の非一時的コンピュータ可読記憶媒体。
【発明の詳細な説明】
【技術分野】
【０００１】
本明細書は、全体的に無線通信ネットワークに関し、より具体的に、例えば多重リソースセットの構成に関するが、それに限らない。
【背景技術】
【０００２】
第４世代（４Ｇ）のロングタームエボリューション（ＬＴＥ）広帯域セルラーネットワーク技術において、物理層（ＰＨＹ）チャネルの時間リソース及び周波数リソースがダウンリンク（ＤＬ）制御情報（ＤＣＩ）で直接示される。ＤＬ又はアップリンク（ＵＬ）ＰＨＹチャネルは、１つのみのリソース指示方法を用いる。時間ドメインにおけるスケジューリングの細分性（ｓｃｈｅｄｕｌｉｎｇ  ｇｒａｎｕｌａｒｉｔｙ）は、スロット又はサブフレームで示されるが、周波数ドメインにおける複数のステーションのスケジューリングがセルシステム帯域幅の異なる部分を占有する。
【０００３】
第５世代（５Ｇ）の広帯域セルラーネットワーク技術において、時間ドメイン及び周波数ドメインにおけるスケジューリングの柔軟性への要求が高まる。時間ドメインにおいて、スケジューリングはスロットレベル及びシンボルレベルに基づくものである。周波数ドメインにおいて、スケジューリング範囲は帯域幅部分（ＢＷＰ）に分けられ、異なるステーションでは該帯域幅部分が異なってもよい。４Ｇ  ＬＴＥと同様で、特定のＰＨＹ制御チャネルに対してコードドメインリソースを示す。
【図面の簡単な説明】
【０００４】
【図１】１つ又は複数の実施形態に係る無線通信システムを示す図である。
【図２】１つ又は複数の実施形態に係る、ホスト装置及び関連する無線装置を備える無線通信装置を示す図である。
【図３】構成されたリソースセットからリソースを決定する例示的な過程を示すフローチャートである。
【図４】１つ又は複数の実施形態に係る、異なるＤＭ−ＲＳマッピングタイプに対して構成された異なるリソースセットからリソースを決定する例示的な過程を示すフローチャートである。
【図５】１つ又は複数の実施形態に係る、異なるＢＷＰ構成に対して構成された異なるリソースセットからリソースを決定する例示的な過程を示すフローチャートである。
【図６】１つ又は複数の実施形態に係る、異なるコンポーネントキャリア構成に対して構成された異なるリソースセットからリソースを決定する例示的な過程を示すフローチャートである。
【図７】１つ又は複数の実施形態に係る、異なるサービングセルの構成に対して構成された異なるリソースセットからリソースを決定する例示的な過程を示すフローチャートである。
【図８】１つ又は複数の実施形態に係る、異なる伝送波形又は多重アクセス構成に対して構成された異なるリソースセットからリソースを決定する例示的な過程を示すフローチャートである。
【図９】１つ又は複数の実施形態に係る、異なる制御リソースセット／探索空間構成に対して構成された異なるリソースセットからリソースを決定する例示的な過程を示すフローチャートである。
【図１０】本技術を実現できる１つ又は複数の実施形態の電子システムを模式的に示す図である。
【発明を実施するための形態】
【０００５】
以下、説明される具体的な実施形態は様々な実施形態を説明するように意図されるが、本技術を実施できる唯一の実施形態を代表するように意図されるものではない。図面は本明細書に援用されて具体的な実施形態の一部となる。本技術を徹底的に理解するために、具体的な実施形態は特定の詳細を含む。ところが、本技術は本明細書に説明される具体的な詳細に限らず、これらの具体的な詳細のうちの１つ又は複数の詳細がない場合に実施してもよい。当業者であれば理解されるように、本開示の範囲を逸脱せずに様々な方式で説明される実現方式を修正してもよい。従って、図面及び本明細書は本質的に制限ではなく説明のためのものであると見なされるべきである。本技術の概念を明確にするために、１つ又は複数の例では、ブロック図の形式で構造及びコンポーネントを示す。
【０００６】
４Ｇ  ＬＴＥにおいて、他のドメインにおける構成にかかわらず、いずれもＰＨＹチャネルに同じリソースセットを構成した。ところが、直接ＤＣＩ指示方法を用いることにより、５Ｇシステムにおける許容できるシグナリングオーバーヘッドで柔軟にスケジューリングする可能性を活用することができない。本技術は、復調用参照信号（ＤＭ−ＲＳ）マッピングタイプ、帯域幅部分（ＢＷＰ）構成、コンポーネントキャリア（ＣＣ）、サービングセル、伝送波形又は多重アクセススキーム、ＰＤＣＣＨ構成のうちの少なくとも１つのドメインにおける異なる構成に対応する異なるリソースセットを構成することに用いられる。上記ドメインのうちの各ドメインに異なるリソースセットを構成することにより、リソースの数を倍増することができる。従って、本技術はいかなる追加のＰＨＹシグナリングオーバーヘッドを必要とせずに柔軟性が従来の４Ｇ  ＬＴＥ方法より大幅に高い新しい方法を提供する。
【０００７】
理解されるべきように、本願の実施形態の技術案は様々な通信システム、例えば新無線インターフェースである第５世代の広帯域セルラーネットワークシステム（「５Ｇ」と略称される）、ロングタームエボリューション（ＬＴＥ：Ｌｏｎｇ  Ｔｅｒｍ  Ｅｖｏｌｕｔｉｏｎ）広帯域セルラーネットワークシステム及び他の将来の通信システムに適用されてもよい。
【０００８】
本明細書における様々な実施形態と組み合わせて説明されるステーションは更にユーザ装置（ＵＥ：Ｕｓｅｒ  Ｅｑｕｉｐｍｅｎｔ）、アクセス端末、ユーザ要素、加入者局、移動局、遠隔局、遠隔端末、モバイルデバイス、ユーザ端末、端末、端末装置、無線通信装置、ユーザエージェント又はユーザデバイスを指してもよい。ステーションはスマートフォン、携帯電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、５Ｇ広帯域セルラーネットワークにおける端末装置又は将来進化した公衆陸上移動網（ＰＬＭＮ：Ｐｕｂｌｉｃ  Ｌａｎｄ  Ｍｏｂｉｌｅ  ｎｅｔｗｏｒｋ）における端末装置等であってもよい。
【０００９】
本願は、ネットワーク装置と組み合わせて各実施形態を説明した。ネットワーク装置は端末装置と通信するための装置であってもよく、例えば、ネットワーク装置はＬＴＥシステムにおける進化型基地局（ｅＮＢ又はｅＮｏｄｅＢ：Ｅｖｏｌｕｔｉｏｎａｌ  Ｎｏｄｅ  Ｂ）であってもよく、第５世代の新無線インターフェースである広帯域セルラーネットワーク基地局（ｇＮＢ又はｇＮｏｄｅＢ：Ｎｅｘｔ  Ｇｅｎｅｒａｔｉｏｎ  Ｎｏｄｅ  Ｂ）であってもよく、又は、該ネットワーク装置は中継所、アクセスポイント、車載装置、ウェアラブル端末又は将来の広帯域セルラーネットワークにおけるネットワーク側装置等であってもよい。
【００１０】
本明細書に使用されるように、「ＤＣＩ」とも略称される用語「ダウンリンク制御情報」は一般的に１組の特定の情報を指し、該情報はダウンリンクデータチャネル（例えば、ＰＤＳＣＨ）又はアップリンクデータチャネル（例えば、ＰＵＳＣＨ）をスケジューリングするためのアップリンクリソース割り当てを説明する。いくつかの態様では、ＤＣＩはＵＥに送信したダウンリンクデータについての説明を含む。本明細書に使用されるように、「ＢＷＰ」とも略称される用語「帯域幅部分」は一般的に与えられたキャリアにおける与えられたヌメロロジー（ｎｕｍｅｒｏｌｏｇｙ）の連続した共有リソースブロックのサブセットから選択された１組の連続した物理リソースブロックを指す。本明細書に使用されるように、「ＣＯＲＥＳＥＴ」とも称される用語「制御リソースセット」は一般的に周波数ドメインにおける複数のリソースブロックと時間ドメインにおける整数個の直交周波数分割多重（ＯＦＤＭ）シンボルとからなる集合を指し、各リソースブロックがそれぞれ周波数ドメインにおける１つのサブキャリアと時間ドメインにおける１つのＯＦＤＭシンボルとからなるリソース要素（ｒｅｓｏｕｒｃｅ  ｅｌｅｍｅｎｔ）を複数含む。本明細書に使用されるように、「ＲＲＣシグナリング」とも称される用語「無線リソース制御シグナリング」は一般的にＵＥと基地局との間に構成された無線リソースに関連する情報を交換することによりＵＥと基地局との間に無線通信に必要な無線リソースを制御するための制御メカニズムを指す。
【００１１】
図１は、１つ又は複数の実施形態に係る無線通信システム１００を示す図である。説明されるコンポーネントがいずれも不可欠なものではないが、１つ又は複数の実施形態は図示しない追加のコンポーネントを備えてもよい。本明細書に説明される特許請求の範囲を逸脱せずに、コンポーネントの配置及びタイプを変更してもよい。追加のコンポーネント、異なるコンポーネント又はより少ないコンポーネントを提供してもよい。
【００１２】
無線通信システム１００は、基地局及び／又はアクセスポイント１１２、１１６、無線通信装置１１８〜１３２及び中央ノード１３４を備える。注意しなければならないのは、中央ノード１３４はコアネットワーク装置を備え、該コアネットワーク装置又はコアネットワーク装置の機能の一部（例えば、ユーザプレーン機能）は基地局及び／又はアクセスポイント１１２に統合されてもよい。更に注意しなければならないのは、無線通信装置１１８〜１３２はラップトップパソコン１１８及び１２６、パーソナルデジタルアシスタントホスト１２０及び１３０、パーソナルコンピュータホスト１２４及び１３２、タブレットコンピュータホスト１２２、携帯電話ホスト１２８又は上記他のステーションであってもよい。
【００１３】
無線通信装置１２２、１２３及び１２４は、独立したサービスエリア１０９内に位置し、直接通信（例えば、ポイントツーポイント）を行う。このような構成では、無線通信装置１２２、１２３及び１２４は互いに通信するしかできない。無線通信システム１００における他の無線通信装置と通信し、又は該無線通信システム１００の外部と通信するために、無線通信装置１２２、１２３及び／又は１２４は基地局又はアクセスポイント１１２又は１１６のうちの１つに付属してもよい。
【００１４】
基地局又はアクセスポイント１１２、１１６はそれぞれサービスエリア１１１及び１１３内に位置し、ローカルエリヤネットワーク接続１３６、１３８によって中央ノード１３４に操作可能に結合される。このような接続は基地局又はアクセスポイント１１２、１１６に無線通信システム１００における他の装置への接続を提供し、且つＷＡＮ接続１４２によって他のネットワークへの接続を提供する。サービスエリア１１１及び１１３における無線通信装置１１８〜１３２と通信するために、各基地局又はアクセスポイント１１２、１１６は関連するアンテナ又はアンテナアレイを有する。１つ又は複数の実施形態では、基地局又はアクセスポイント１１６が無線通信装置１２６〜１３２と無線通信すると同時に、基地局又はアクセスポイント１１２が無線通信装置１１８及び１２０と無線通信する。無線通信システム１００からサービスを受信するために、無線通信装置１１８〜１３２は特定の基地局又はアクセスポイント１１２、１１６に新規登録してもよい。
【００１５】
いくつかの実施形態によれば、基地局は広帯域セルラーネットワークシステム（例えば、５Ｇ、ＬＴＥ、先進移動電話サービス（ＡＭＰＳ）、デジタルＡＭＰＳ、ＧＳＭ、ＣＤＭＡ、ローカルマルチポイント配信システム（ＬＭＤＳ）、マルチチャネル・マルチポイント配信システム（ＭＭＤＳ）、拡張データレートＧＳＭ進化技術（ＥＤＧＥ）、汎用パケット無線サービス（ＧＰＲＳ）、高速ダウンリンクパケットアクセス（ＨＳＤＰＡ）、高速アップリンクパケットアクセス（ＨＳＵＰＡ及び／又はその変形）及びタイプと類似のシステムに使用されるが、アクセスポイントは室内又は建物内の無線ネットワーク（例えば、ＩＥＥＥ  ８０２．１１、ブルートゥース、ＺｉｇＢｅｅ、いかなる他のタイプの無線周波数に基づくネットワークプロトコル及び／又はその変形）に使用される。通信システムの特定のタイプにかかわらず、各無線通信装置はいずれも内蔵された無線装置を備え及び／又は無線装置に結合される。
【００１６】
図２は、本技術の１つ又は複数の実施形態に係る例示的な無線通信装置２００を示す図である。説明されるコンポーネントがいずれも不可欠なものではないが、１つ又は複数の実施形態は図示しない追加のコンポーネントを備えてもよい。本明細書に説明される特許請求の範囲を逸脱せずに、コンポーネントの配置及びタイプを変更してもよい。追加のコンポーネント、異なるコンポーネント又はより少ないコンポーネントを提供してもよい。
【００１７】
無線通信装置２００は、無線周波数（ＲＦ）アンテナ２１０、デュプレクサ回路２１５、トランシーバ回路２０５、メモリ２５０、プロセッサ２６０、ローカル発振器発生器（ＬＯＧＥＮ）２７０及び電源回路２８０を備える。トランシーバ回路２０５は受信機回路２２０及び送信機回路２３０を備える。無線通信装置２００は更にベースバンド処理回路２４０を備える。ベースバンド処理回路２４０は一般的にトランシーバと分離する。他の例では、１つのコンポーネントを形成するために、ベースバンド処理回路２４０はトランシーバと統合されてもよい（図２参照）。本技術の様々な実施例では、図２に示される１つ又は複数のボックスは、１つ又は複数の半導体基板に統合されてもよい。例えば、ボックス２２０〜２７０は単一のチップ又は単一のオンチップシステムにおいて実現されてもよいし、マルチチップのチップセットにおいて実現されてもよい。様々な実施形態では、１つ又は複数のボックスを追加してもよい。様々な実施形態では、図示の１つ又は複数のボックスが除去され、又は他の１つ又は複数のボックスで代替されてもよい。無線通信装置２００は無線通信装置１２８又は無線通信装置１２８を備える少なくとも一部に対応する。
【００１８】
ＲＦアンテナ２１０は広い周波数範囲（例えば、４００ＭＨｚ−６ＧＨｚ、２０ＧＨｚ−４４ＧＨｚ、２０ＧＨｚ−８６ＧＨｚ、２４ＧＨｚ−５３ＧＨｚ、８６ＧＨｚ−９８ＧＨｚ）におけるＲＦ信号（例えば、無線信号）の送信及び／又は受信に適する。単一のＲＦアンテナ２１０を示すが、本技術はこれに限らない。
【００１９】
受信機回路２２０の飽和又は受信機回路２２０の部材の損傷を回避して、受信機回路２２０の１つ又は複数の設計要件を緩和するために、デュプレクサ回路２１５は送信周波数帯域において分離してもよい。なお、デュプレクサ回路２１５は受信周波数帯におけるノイズを減衰させることができる。デュプレクサ回路２１５は様々な規格（例えば、無線規格、広帯域セルラー規格）における複数の周波数帯において操作できる。デュプレクサ回路２１５は無線通信装置２００の受信又は送信モードを選択するための送信／受信（Ｔ／Ｒ）スイッチを備えてもよい。ベースバンド処理回路２４０がＴ／Ｒスイッチを制御してもよい。
【００２０】
受信機回路２２０は、ＲＦアンテナ２１０からの入力ＲＦ信号を受信・処理するための適切な論理回路及び／又はコードを含んでもよい。例えば、受信機回路２２０は受信された無線信号を増幅及び／又はダウンコンバート（ｄｏｗｎ−ｃｏｎｖｅｒｔ）することに用いられてもよい。本技術のいくつかの実施形態では、受信機回路２２０は受信された信号におけるノイズを除去することに用いられてもよく、広い周波数範囲において線形なものであってもよい。このような方式において、受信機回路２２０は様々な無線規格及び広帯域セルラー規格に基づいて信号を受信することに適してもよい。非限定的な例として、このような規格は５Ｇ、４Ｇ  ＬＴＥ、３Ｇ、ＧＳＭ、Ｗｉ−Ｆｉ、ＷｉＭＡＸ及びブルートゥースを含んでもよい。
【００２１】
送信機回路２３０は、ＲＦアンテナ２１０からの信号を処理・送信するための適切な論理回路及び／又はコードを含んでもよい。例えば、送信機回路２３０はベースバンド処理信号を出力ＲＦ信号にアップコンバート（ｕｐ−ｃｏｎｖｅｒｔ）して出力ＲＦ信号を増幅することに用いられてもよい。本技術のいくつかの実施形態では、送信機回路２３０は様々な無線規格に基づいて処理されたベースバンド信号をアップコンバート・増幅することに用いられてもよい。本技術のいくつかの実施形態では、送信機２３０は１つ又は複数のパワーアンプによって信号の更なる増幅を提供することに用いられてもよい。１つ又は複数の実施形態では、送信機２３０は出力ＲＦ信号を増幅するためのパワーアンプを備える。
【００２２】
ベースバンド処理回路２４０は、ベースバンド信号の処理を実行するための適切な論理、回路、インターフェース及び／又はコードを含んでもよい。例えば、ベースバンド処理回路２４０は受信された信号を分析して無線通信装置２００の様々なコンポーネント（例えば、受信機回路２２０）を構成するための制御信号及び／又はフィードバック信号を生成してもよい。ベースバンド処理回路２４０は１つ又は複数の広帯域セルラー規格に基づいてデータを符号化、復号、トランスコード、変調、復調、暗号化、デコード、スクランブル、デスクランブルし及び／又は他の方式でデータを処理することに用いられてもよい。
【００２３】
メモリ２５０は、様々なタイプの情報（例えば、受信されたデータ、生成されたデータ、コード及び／又は構成情報）を記憶できる適切な論理、回路及び／又はコードを含んでもよい。例えば、メモリ２５０はランダムアクセスメモリ（ＲＡＭ）、読み出し専用メモリ（ＲＯＭ）、フラッシュメモリ及び／又は磁気メモリを含んでもよい。本技術のいくつかの実施形態では、メモリ２５０に記憶される情報は受信機回路２２０及び／又はベースバンド処理回路２４０を構成することに用いられてもよい。
【００２４】
プロセッサ２６０は、無線通信装置２００のデータを処理し、及び／又は無線通信装置２００の操作を制御することのできる適切な論理、回路及び／又はコードを含んでもよい。この点では、プロセッサ２６０は無線通信装置２００の他の各部分に制御信号を提供することができる。プロセッサ２６０は更に無線通信装置２００の各部分間のデータ伝送を制御してもよい。なお、プロセッサ２６０はオペレーティングシステムを実施し又はコードを実行して無線通信装置２００の操作を管理することができる。
【００２５】
ローカル発振器発生器（ＬＯＧＥＮ）２７０は、１つ又は複数の周波数における１つ又は複数の発振信号を発生させるための適切な論理、回路、インターフェース及び／又はコードを含んでもよい。ＬＯＧＥＮ２７０はデジタル及び／又はアナログ信号を発生させることに用いられてもよい。このような方式において、ＬＯＧＥＮ２７０は１つ又は複数のクロック信号及び／又は正弦波信号を発生させることに用いられてもよい。例えば、プロセッサ２６０及び／又はベースバンド処理回路２４０からの１つ又は複数の制御信号に基づいて周波数及びデューティ比等の発振信号の特性を決定してもよい。１つ又は複数の実施形態では、ＬＯＧＥＮ２７０は水晶発振器を用いてクロック信号及び／又は正弦波信号を発生させてもよい。
【００２６】
電源２８０は、無線通信装置２００内のコンポーネントに電源（例えば、安定電圧）を供給するための適切な論理、回路及び／又はコードを含んでもよい。例えば、電源２８０はデュプレクサ２１５、受信機２２０、送信機２３０、ベースバンド処理回路２４０、メモリ２５０、プロセッサ２６０及びＬＯＧＥＮ２７０に電源を供給してもよい。
【００２７】
操作中に、プロセッサ２６０は無線通信装置２００が信号を受信する際の規格に基づいて無線通信装置２００の様々なコンポーネントを構成してもよい。ＲＦアンテナ２１０によって無線信号を受信して、受信機回路２２０によって増幅・ダウンコンバートしてもよい。ベースバンド処理回路２４０はベースバンド信号のノイズ推定及び／又はノイズ除去、ベースバンド信号の復号及び／又は復調を実行してもよい。このような方式において、受信信号における情報を適切に回復して利用してもよい。例えば、該情報は無線通信装置２００のユーザに表示するオーディオ、テキスト、画像、ビデオ、マルチメディア及び／又は制御信号であってもよいし、メモリ２５０に記憶されるデータ、及び／又は無線通信装置２００の操作に影響し、及び／又は無線通信装置２００の操作を開始する情報であってもよい。ベースバンド処理回路２４０は様々な規格に基づいて送信機回路２３０が送信するオーディオ、テキスト、画像、ビデオ、マルチメディア及び／又は制御信号を変調、符号化し、又は他の処理を実行してもよい。電源２８０は無線通信装置２００の様々なコンポーネントに１つ又は複数の調節後の幹線電圧を提供してもよい。
【００２８】
いくつかの広帯域セルラーネットワーク規格（例えば、５Ｇ）において、物理チャネルをダウンリンクチャネル（例えば、物理ダウンリンク共有チャネル（ＰＤＳＣＨ）及び物理ダウンリンク制御チャネル（ＰＤＣＣＨ））及びアップリンクチャネル（例えば、物理アップリンク共有チャネル（ＰＵＳＣＨ）及び物理アップリンク制御チャネル（ＰＵＣＣＨ））に分けてもよい。ＰＤＣＣＨ信号はダウンリンク制御情報を伝送することに用いられ、該ダウンリンク制御情報はＰＤＳＣＨにおけるダウンリンクリソース割り当て、アップリンクリソース許可及びアップリンクパワー制御命令についてのリソース割り当て又はスケジューリングをユーザ装置に通知する。ユーザ装置においてセル固有参照信号（ＣＲＳ）に基づいてＰＤＣＣＨ信号を復調する。５Ｇ広帯域セルラーネットワークシステムにおいて、物理リソースブロック（「ＰＲＢ」と略称される）における開始シンボルはダウンリンク伝送における制御情報（例えば、ダウンリンク制御情報、「ＤＣＩ」と略称される）を示してもよい。
【００２９】
更に理解されるべきように、本技術の実施形態では、物理リソースは時間ドメインリソース及び周波数ドメインリソースを含んでもよい。時間ドメインにおいて、該リソースがＭ個のシンボル（例えば、ＯＦＤＭシンボル）を占有し、Ｍが１以上の正の整数である。周波数ドメインにおいて、該周波数ドメインリソースがＮ個のユニットを占有し、該Ｎ個のユニットのうちの各ユニットが周波数ドメインにおけるＫ個の連続したサブキャリアを含み、Ｎが１以上の正の整数であり、Ｋが２以上の正の整数である。物理リソースは更に時間ドメインリソース及び周波数ドメインリソース、コードドメインリソース又は空間ドメインリソースのうちの少なくとも１つを含んでもよい。
【００３０】
図３は、構成されたリソースセットからリソースを決定する例示的なプロセス３００を示すフローチャートである。なお、説明のため、本明細書においてプロセス３００のボックスが直列又は線形に発生すると説明される。ところが、プロセス３００の複数のボックスが並行して発生してもよい。また、プロセス３００のボックスは図示の順序で実行される必要がなく、及び／又はプロセス３００の１つ又は複数のボックスは実行される必要がなく及び／又は他の操作で代替されてもよい。
【００３１】
４Ｇ  ＬＴＥにおいて、他のドメインにおける構成にかかわらず、いずれもＰＨＹチャネルに同じリソースセットを構成する。ＤＣＩを許容できるシグナリングオーバーヘッド範囲内に維持するために、ＤＣＩのリソース割り当てビットフィールドにおいて限られたビット幅を利用し、従って、リソースの構成数が制限される。ＲＲＣ構成及びＤＣＩ指示の組み合わせを５Ｇシステムにおけるリソース割り当てに用いてもよく、例えば、ＲＲＣシグナリングによって候補リソースセットを構成し、次にＤＣＩが図３における説明された「リソーステーブル」又は「リソースセット」におけるリソースのインデックスを示す。
【００３２】
この方面では、プロセス３００はステップ３０１において開始され、ステーション（例えば、１２８、２００）は構成されたリソースセットにおけるＮ個のリソースから実際のリソースを決定し、Ｎが正の整数である。次に、ステップ３０２において、基地局（例えば、１１６）からのダウンリンク伝送においてＰＤＳＣＨ信号を受信し、又は基地局へのアップリンク伝送においてＰＤＳＣＨ／ＰＵＣＣＨ信号を送信するために、該ステーションは決定されたリソースを占有する。しかしながら、許容できるＤＣＩシグナリングオーバーヘッドが制限されるため、リソース割り当てのためのビットフィールド幅が２〜６ビット幅である可能性がある。このような限られたビット幅を利用して構成されたリソースセット（又は、テーブル）はＮ＝４〜６４個のリソースを含むしかない。
【００３３】
リソース構成には複数の次元、例えば先頭スロット、スロット数、先頭シンボル、スロットにおけるシンボル数、先頭物理リソースブロック（ＰＲＢ）、ＰＲＢの数、コードドメインパラメータ（例えば、シーケンスインデックス、循環シフト（ＣＳ）インデックス、直交マスク（ＯＣＣ）インデックス）及びホッピングパラメータ（例えば、ホッピングオン／オフ（ｈｏｐｐｉｎｇ  ｏｎ／ｏｆｆ）、第２ジャンプの周波数位置）が含まれる必要があることを考慮すれば、１つのリソースセット（又は、テーブル）がＰＨＹチャネルに提供する柔軟性は制限される。直接ＤＣＩ指示方法を用いることにより、５Ｇシステムにおける許容できるシグナリングオーバーヘッドで柔軟にスケジューリングする可能性を活用することができない。
【００３４】
本技術はＰＨＹチャネル又は信号（例えば、ＰＤＳＣＨ、ＰＵＳＣＨ、ＰＤＣＣＨ、ＰＵＣＣＨ、物理ランダムアクセスチャネル（ＰＲＡＣＨ）、チャネル状態情報参照信号（ＣＳＩ−ＲＳ）、スケジューリング要求（ＳＲ）又はサウンディング参照信号（ＳＲＳ）等）に少なくとも２つのリソースセットを構成する。復調用参照信号（ＤＭ−ＲＳ）マッピングタイプ、帯域幅部分（ＢＷＰ）構成、コンポーネントキャリア（ＣＣ）、サービングセル、伝送波形又は多重アクセススキーム、ＰＤＣＣＨ構成のうちの少なくとも１つのドメインにおける異なる構成に対応する異なるリソースセットを構成してもよい。
【００３５】
いくつかの例では、異なるＤＭ−ＲＳマッピングタイプ（例えば、ＰＤＳＣＨ／ＰＵＳＣＨマッピングタイプＡ及びＢ）に異なるリソースセットを構成してもよい。ＰＤＳＣＨマッピングタイプＡについては、スロットの開始に対して第１ＤＭ−ＲＳシンボルの時間位置を制限してもよい。ＰＤＳＣＨマッピングタイプＢについては、スケジューリングされたＰＵＳＣＨリソースの開始に対して第１ＤＭ−ＲＳシンボルの時間位置を制限してもよい。ＰＵＳＣＨマッピングタイプＡについては、スロットの開始に対して第１ＤＭ−ＲＳシンボルの時間位置を制限してもよい。ＰＵＳＣＨマッピングタイプＢについては、スケジューリングされたＰＵＳＣＨリソースの開始に対して第１ＤＭ−ＲＳシンボルの時間位置を制限してもよい。
【００３６】
他の例では、異なるＢＷＰ構成に対して異なるリソースセットを構成してもよい。いくつかの別の例では、キャリアアグリゲーションにおける異なるコンポーネントキャリア（ＣＣ）に対して異なるリソースセットを構成してもよい。いくつかの更なる例では、異なるサービングセル構成に対して異なるリソースセットを構成してもよい。いくつかの更なる例では、異なる伝送波形又は多重アクセススキームに対して、ＵＬ伝送において変換プリコーディングを使用するかどうかによって異なるリソースセットを構成してもよい。いくつかの更なる例では、異なるＰＤＣＣＨ構成（例えば、ＣＯＲＥＳＥＴ、探索空間及び／又は監視タイミングの異なる周期的構成及び／又は時間位置構成）に対して異なるリソースセットを構成してもよい。
【００３７】
いくつかの実施形態では、リソースは時間ドメイン、周波数ドメイン、コードドメイン及び／又は空間ドメインにおける１つ又は複数のパラメータを有するように構成される。２つのリソースが異なる場合、２つのリソースに対する少なくとも１つのパラメータの値が異なる。２つのリソースセットの構成が異なる場合、第２リソースセットには第１リソースセットにおける少なくとも１つのリソースが含まれない。
【００３８】
本技術の実施形態の１つ又は複数によれば、ステーション（例えば、無線通信装置１２８、無線通信装置２００）は、ＰＨＹチャネル又は信号に関連する複数のドメイン（ｄｏｍａｉｎ）のうちの少なくとも１つのドメインにおける複数のリソース構成のうちの第１リソース構成を決定する。例えば、該ステーションはまずＰＨＹチャネル又は信号（例えば、ＰＤＳＣＨ、ＰＵＳＣＨ、ＰＵＣＣＨ、ＣＳＩ−ＲＳ、ＳＲＳ、ＳＲ、ＰＤＣＣＨ、ＰＲＡＣＨ等）に対して選択しようとするリソースセットを決定する。複数のドメインはＤＭ−ＲＳマッピングタイプ、ＢＷＰ構成、コンポーネントキャリア構成、サービングセル構成又はアップリンク伝送に変換プリコーディングが含まれるかどうかを含んでもよいが、それらに限らない。
【００３９】
ステーションは第１リソース構成に対応する第１リソースセットを選択する。ステーションは基地局（ＢＳ）からの第１メッセージ及び／又は少なくとも１つの上記ドメインからの知識に基づいて第１リソースセットを選択してもよい。いくつかの実施形態では、ステーションはどのリソースセットを選択するかを決定する前に、ステーションは予め定義された原理に基づき、第１メッセージによって他の構成から少なくとも１つの上記ドメインについての制御情報を取得又は導出してもよい。次に、選択されたリソースセットにおいて、ステーションはＢＳからの第２メッセージ及び／又は１つ又は複数の他のＰＨＹチャネル又は信号からの暗黙的マッピング（ｉｍｐｌｉｃｉｔ  ｍａｐｐｉｎｇ）によって選択された第１リソースセットにおける複数のリソースからチャネル又は信号を伝送するための実際のリソースを決定する。次に、該ステーションが対応するＰＨＹチャネル又は信号を送信又は受信するために、決定された実際のリソースを占有する。いくつかの例では、第１メッセージが受信されたフレーム（例えば、ダウンリンクフレーム）のヘッダフィールドに含まれる。ヘッダフィールドは媒体アクセス制御（ＭＡＣ）ヘッダであってもよいし、その一部を含んでもよい。いくつかの実施形態では、第２メッセージが第１メッセージと同じヘッダフィールドに含まれてもよく、又は、他の実施形態では、第２メッセージが第１メッセージと異なるヘッダフィールドに含まれてもよい。他の例では、いくつかの実施形態では、第１メッセージと同じフレームにおいて第２メッセージを受信してもよく、又は、他の実施形態では、第１メッセージと異なるフレームにおいて第２メッセージを受信してもよい。
【００４０】
他の実施形態では、ステーションはどのリソースセットを選択するかを決定する前に、予め設定された原理に基づいて他の構成から少なくとも１つの上記ドメインに関連する制御情報を取得又は導出するために、ステーションは第１メッセージを受信してもよい。いくつかの例では、第１メッセージが受信されたフレーム（例えば、ダウンリンクフレーム）のヘッダフィールドに含まれる。いくつかの実施形態では、第１メッセージ及び第２メッセージと同じヘッダフィールドには第１メッセージが含まれてもよく、又は、他の実施形態では、第１メッセージ及び第２メッセージと異なるヘッダフィールドには第１メッセージが含まれてもよい。他の例では、いくつかの実施形態では、第１メッセージ及び第２メッセージと同じフレームにおいて第１メッセージを受信してもよく、又は、他の実施形態では、第１メッセージ及び第２メッセージと異なるフレームにおいて第１メッセージを受信してもよい。いくつかの実施形態では、第１メッセージ、第２メッセージ及び／又は第１メッセージのそれぞれはダウンリンク制御情報（「ＤＣＩ」と略称される）であり、又は少なくともダウンリンク制御情報の一部に含まれる。他の実施形態では、第１メッセージ、第２メッセージ及び／又は第１メッセージのそれぞれは無線リソース制御構成シグナリング（「ＲＲＣシグナリング」と略称される）であり、又は少なくとも無線リソース制御構成シグナリングの一部に含まれる。
【００４１】
図４は１つ又は複数の実施形態に係る、異なるＤＭ−ＲＳマッピングタイプに対して構成された異なるリソースセットからリソースを決定する例示的なプロセス４００を示すフローチャートである。説明のため、ここで、主に図２における無線通信装置２００の受信機２２０を参照してプロセス４００を説明する。ところが、プロセス４００は図２における無線通信装置２００の受信機２２０に限らず、無線通信装置２００の１つ又は複数の他のコンポーネント又はチップによりプロセス４００の１つ又は複数のボックス（又は、操作）を実行してもよい。無線通信装置２００は例示的な装置とも示されてもよく、且つ本明細書に説明される操作は例えば無線通信装置１１８〜１３２の１つ又は複数のいかなる適切な装置により実行されてもよい。なお、説明のため、本明細書においてプロセス４００のボックスが直列又は線形に発生すると説明される。ところが、プロセス４００の複数のボックスが並行して発生してもよい。また、プロセス４００のボックスは図示の順序で実行される必要がなく、及び／又はプロセス４００の１つ又は複数のボックスは実行される必要がなく及び／又は他の操作で代替されてもよい。
【００４２】
プロセス４００はステップ４０１で開始され、ステーション（例えば、１２８、２００）はＰＨＹチャネルに関連する構成を取得する。次に、ステップ４０２において、ステーションは基地局（例えば、１１６）からメッセージを受信することにより該構成がＤＭ−ＲＳマッピングタイプを含むと決定し、該メッセージは受信されたフレームがリソース割り当てスケジューリングのためのＤＭ−ＲＳマッピングタイプを含むことを示す。いくつかの態様では、受信されたフレームは基地局のダウンリンク伝送に関連するダウンリンクフレームである。受信されたフレームはＰＨＹチャネル／信号（例えば、ＰＤＳＣＨ、ＰＤＣＣＨ）を含んでもよい。いくつかの実施形態では、ＤＭ−ＲＳマッピングタイプはダウンリンク伝送のためのリソース割り当てスケジューリングに関連する。次に、ステップ４０３において、ステーションはＤＭ−ＲＳマッピングタイプがＰＤＳＣＨマッピングタイプＡであるか、それともＰＤＳＣＨマッピングタイプＢであるかを決定する。他の実施形態では、ＤＭ−ＲＳマッピングタイプはアップリンク伝送のためのリソース割り当てスケジューリングに関連する。この方面では、ステーションはＤＭ−ＲＳマッピングタイプがＰＵＳＣＨマッピングタイプＡであるか、それともＰＵＳＣＨマッピングタイプＢであるかを決定してもよい。ＤＭ−ＲＳマッピングタイプがマッピングタイプＡである場合、プロセス４００がステップ４０４に進む。そうでない場合、プロセス４００がステップ４０５に進む。
【００４３】
その後、ＤＭ−ＲＳマッピングタイプがマッピングタイプＡであると決定する場合、ステップ４０４において、ステーションはＤＭ−ＲＳマッピングタイプＡに対応するリソースセットを選択する。ステップ４０５において、つまりＤＭ−ＲＳマッピングタイプがマッピングタイプＢであると決定する場合、ステーションはＤＭ−ＲＳマッピングタイプＢに対応するリソースセットを選択する。次に、ステップ４０６において、ステーションは選択されたリソースセットから実際のリソースを決定する。いくつかの態様では、ステーションは基地局から受信された第２メッセージに含まれる指示を利用して選択を実行してもよい。他の方面では、ステーションは他のＰＨＹチャネル又は信号及び選択されたリソースセットにおける１つ又は複数のリソースの暗黙的マッピングによって選択を実行してもよく、それによりマッピングされていないリソースを導出することができる。その後、ステップ４０７において、ステーションはそのトランシーバ（例えば、２０５）が例えば決定された実際のリソースにおいてＰＤＳＣＨ信号を受信し又はＰＵＳＣＨ信号を送信するようにする。
【００４４】
この実施形態では、異なるＤＭ−ＲＳマッピングタイプ（例えば、ＰＤＳＣＨ／ＰＵＳＣＨマッピングタイプＡ及びＢ）に対して異なるリソースセットを構成する。図４に説明されるとおり、ステーションはまずＤＭ−ＲＳマッピングタイプに対応するリソースセットを選択し、次にＰＨＹチャネル又は信号を伝送するための実際のリソースを決定してもよい。決定されたＤＣＩオーバーヘッドに基づく場合、ＰＤＳＣＨマッピングタイプＡ及びタイプＢに対してそれぞれＮ個のリソースを構成してもよい。この実施形態によれば、合計して２Ｎ個のリソースを構成してもよい。実際には、従来の方法（例えば、４Ｇ  ＬＴＥ）に比べて、該方法はいかなる追加のＰＨＹシグナリングオーバーヘッドがない場合にリソース割り当てスケジューリングのための候補リソースの数を倍増してもよく、リソース割り当てスケジューリングにおいて従来の方法より高い柔軟性を実現することに役立つ。
【００４５】
図５は、１つ又は複数の実施形態に係る、異なるＢＷＰ構成に対して構成された異なるリソースセットからリソースを決定する例示的なプロセス５００を示すフローチャートである。説明のため、ここで、主に図２における無線通信装置２００の受信機２２０を参照してプロセス５００を説明する。ところが、プロセス５００は図２における無線通信装置２００の受信機２２０に限らず、無線通信装置２００の１つ又は複数の他のコンポーネント又はチップによりプロセス５００の１つ又は複数のボックス（又は、操作）を実行してもよい。無線通信装置２００は例示的な装置とも示され、且つ本明細書に説明された操作は例えば無線通信装置１１８〜１３２の１つ又は複数のいかなる適切な装置により実行されてもよい。なお、説明のため、本明細書においてプロセス５００のボックスが直列又は線形に発生すると説明される。ところが、プロセス５００の複数のボックスが並行して発生してもよい。また、プロセス５００のボックスは図示の順序で実行される必要がなく、及び／又はプロセス５００の１つ又は複数のボックスは実行される必要がなく及び／又は他の操作で代替されてもよい。
【００４６】
プロセス５００はステップ５０１で開始され、ステーション（例えば、１２８、２００）はＰＨＹチャネルに関連する構成を取得する。次に、ステップ５０２において、ステーションは基地局（例えば、１１６）からメッセージを受信することにより該構成がＢＷＰ構成を含むと決定し、該メッセージは受信されたフレームがリソース割り当てスケジューリングのためのＢＷＰ構成を含むことを示す。いくつかの態様では、受信されたフレームは基地局のダウンリンク伝送に関連するダウンリンクフレームである。受信されたフレームはＰＨＹチャネル／信号（例えば、ＰＤＳＣＨ、ＰＤＣＣＨ）を含んでもよい。いくつかの実施形態では、ＢＷＰ構成はダウンリンク伝送のためのリソース割り当てスケジューリングに関連する。次に、ステップ５０３において、ステーションはＢＷＰ構成が第１ＢＷＰ構成（「ＢＷＰ１」と略称される）であるか、それとも第２ＢＷＰ構成（「ＢＷＰ２」と略称される）であるかを決定する。ＢＷＰ構成がＢＷＰ１である場合、プロセス５００がステップ５０４に進む。そうでない場合、プロセス５００がステップ５０５に進む。
【００４７】
その後、ＢＷＰ構成がＢＷＰ１であると決定する場合、ステップ５０４において、ステーションはＢＷＰ１構成に対応するリソースセットを選択する。ステップ５０５において、つまりＢＷＰ構成がＢＷＰ２であると決定する場合、ステーションはＢＷＰ２構成に対応するリソースセットを選択する。次に、ステップ５０６において、ステーションは選択されたリソースセットから実際のリソースを決定する。いくつかの態様では、ステーションは基地局から受信された第２メッセージに含まれる指示を利用して選択を実行してもよい。他の方面では、ステーションは他のＰＨＹチャネル又は信号及び選択されたリソースセットにおける１つ又は複数のリソースの暗黙的マッピングによって選択を実行してもよく、それによりマッピングされていないリソースを導出することができる。その後、ステップ５０７において、ステーションはそのトランシーバ（例えば、２０５）が、例えば決定された実際のリソースにおいてＰＤＳＣＨ信号を受信し又はＰＵＳＣＨ信号を送信するようにする。
【００４８】
該実施形態では、異なるＢＷＰ構成（例えば、ＢＷＰ１及びＢＷＰ２）に対して異なるリソースセットを構成する。図５に説明されるとおり、ステーションはまず特定のＢＷＰ構成に対応するリソースセットを選択し、次にＰＨＹチャネル又は信号を伝送するための実際のリソースを決定してもよい。決定されたＤＣＩオーバーヘッドに基づく場合、ＢＷＰ１及びＢＷＰ２に対してそれぞれＮ個のリソースを構成してもよい。同様に、従来の方法（例えば、４Ｇ  ＬＴＥ）に比べて、該方法はいかなる追加のＰＨＹシグナリングオーバーヘッドがない場合にリソース割り当てスケジューリングのための候補リソースの数を倍増してもよく、リソース割り当てスケジューリングにおいて従来の方法より高い柔軟性を実現することに役立つ。
【００４９】
図６は、１つ又は複数の実施形態に係る、異なるコンポーネントキャリア構成に対して構成された異なるリソースセットからリソースを決定する例示的なプロセス６００を示すフローチャートである。説明のため、ここで、主に図２における無線通信装置２００の受信機２２０を参照してプロセス６００を説明する。ところが、プロセス６００は図２における無線通信装置２００の受信機２２０に限らず、無線通信装置２００の１つ又は複数の他のコンポーネント又はチップによりプロセス６００の１つ又は複数のボックス（又は、操作）を実行してもよい。無線通信装置２００は例示的な装置とも示され、且つ本明細書に説明された操作は例えば無線通信装置１１８〜１３２の１つ又は複数のいかなる適切な装置により実行されてもよい。なお、説明のため、本明細書においてプロセス６００のボックスが直列又は線形に発生すると説明される。ところが、プロセス６００の複数のボックスが並行して発生してもよい。また、プロセス６００のボックスは図示の順序で実行される必要がなく、及び／又はプロセス６００の１つ又は複数のボックスは実行される必要がなく及び／又は他の操作で代替されてもよい。
【００５０】
プロセス６００はステップ６０１で開始され、ステーション（例えば、１２８、２００）はＰＨＹチャネルに関連する構成を取得する。次に、ステップ６０２において、ステーションは基地局（例えば、１１６）からメッセージを受信することにより該構成がコンポーネントキャリア構成を含むと決定し、該メッセージは受信されたフレームがリソース割り当てスケジューリングのためのコンポーネントキャリア構成を含むことを示す。いくつかの態様では、受信されたフレームは基地局のダウンリンク伝送に関連するダウンリンクフレームである。受信されたフレームはＰＨＹチャネル／信号（例えば、ＰＤＳＣＨ、ＰＤＣＣＨ）を含んでもよい。いくつかの実施形態では、コンポーネントキャリア構成はダウンリンク伝送のためのリソース割り当てスケジューリングに関連する。次に、ステップ６０３において、ステーションはコンポーネントキャリア構成が第１コンポーネントキャリア構成（「ＣＣ１」と略称される）であるか、それとも第２コンポーネントキャリア構成（「ＣＣ２」と略称される）であるかを決定する。コンポーネントキャリア構成がＣＣ１である場合、プロセス６００がステップ６０４に進む。そうでない場合、プロセス６００がステップ６０５に進む。
【００５１】
その後、コンポーネントキャリア構成がＣＣ１であると決定する場合、ステップ６０４において、ステーションはＣＣ１構成に対応するリソースセットを選択する。ステップ６０５において、つまりコンポーネントキャリア構成がＣＣ２であると決定する場合、ステーションはＣＣ２構成に対応するリソースセットを選択する。次に、ステップ６０６において、ステーションは選択されたリソースセットから実際のリソースを決定する。いくつかの態様では、ステーションは基地局から受信された第２メッセージに含まれる指示を利用して選択を実行してもよい。他の方面では、ステーションは他のＰＨＹチャネル又は信号及び選択されたリソースセットにおける１つ又は複数のリソースの暗黙的マッピングによって選択を実行してもよく、それによりマッピングされていないリソースを導出することができる。その後、ステップ６０７において、ステーションはそのトランシーバ（例えば、２０５）が例えば決定された実際のリソースにおいてＰＤＳＣＨ信号を受信し又はＰＵＳＣＨ信号を送信するようにする。
【００５２】
該実施形態では、異なるコンポーネントキャリア構成（例えば、ＣＣ１及びＣＣ２）に対して異なるリソースセットを構成する。図６に説明されるとおり、ステーションはまず特定のコンポーネントキャリア構成に対応するリソースセットを選択し、次にＰＨＹチャネル又は信号を伝送するための実際のリソースを決定してもよい。決定されたＤＣＩオーバーヘッドに基づく場合、ＣＣ１及びＣＣ２に対してそれぞれＮ個のリソースを構成してもよい。同様に、従来の方法（例えば、４Ｇ  ＬＴＥ）に比べて、該方法はいかなる追加のＰＨＹシグナリングオーバーヘッドがない場合、リソース割り当てスケジューリングのための候補リソースの数を倍増してもよく、リソース割り当てスケジューリングにおいて従来の方法より高い柔軟性を実現することに役立つ。
【００５３】
図７は、１つ又は複数の実施形態に係る、異なるサービングセル構成に対して構成された異なるリソースセットからリソースを決定する例示的なプロセス７００を示すフローチャートである。説明のため、ここで、主に図２における無線通信装置２００の受信機２２０を参照してプロセス７００を説明する。ところが、プロセス７００は図２における無線通信装置２００の受信機２２０に限らず、無線通信装置２００の１つ又は複数の他のコンポーネント又はチップによりプロセス７００の１つ又は複数のボックス（又は、操作）を実行してもよい。無線通信装置２００は例示的な装置とも示され、且つ本明細書に説明された操作は例えば無線通信装置１１８〜１３２の１つ又は複数のいかなる適切な装置により実行されてもよい。なお、説明のため、本明細書においてプロセス７００のボックスが直列又は線形に発生すると説明される。ところが、プロセス７００の複数のボックスが並行して発生してもよい。また、プロセス７００のボックスは図示の順序で実行される必要がなく、及び／又はプロセス７００の１つ又は複数のボックスは実行される必要がなく及び／又は他の操作で代替されてもよい。
【００５４】
プロセス７００はステップ７０１で開始され、ステーション（例えば、１２８、２００）はＰＨＹチャネルに関連する構成を取得する。次に、ステップ７０２において、ステーションは基地局（例えば、１１６）からメッセージを受信することにより該構成がサービングセル構成を含むと決定し、該メッセージは受信されたフレームがリソース割り当てスケジューリングのためのサービングセル構成を含むことを示す。いくつかの態様では、受信されたフレームは基地局のダウンリンク伝送に関連するダウンリンクフレームである。受信されたフレームはＰＨＹチャネル／信号（例えば、ＰＤＳＣＨ、ＰＤＣＣＨ）を含んでもよい。いくつかの実施形態では、サービングセル構成はダウンリンク伝送のためのリソース割り当てスケジューリングに関連する。次に、ステップ７０３において、ステーションはサービングセル構成が第１サービングセル構成（「ＳＣＥＬＬ  １」と略称される）であるか、それとも第２サービングセル構成（「ＳＣＥＬＬ  ２」と略称される）であるかを決定する。サービングセル構成がＳＣＥＬＬ  １である場合、プロセス７００がステップ７０４に進む。そうでない場合、プロセス７００がステップ７０５に進む。
【００５５】
その後、サービングセル構成がＳＣＥＬＬ  １であると決定する場合、ステップ７０４において、ステーションはＳＣＥＬＬ  １構成に対応するリソースセットを選択する。ステップ７０５において、つまりサービングセル構成がＳＣＥＬＬ  ２であると決定する場合、ステーションはＳＣＥＬＬ  ２構成に対応するリソースセットを選択する。次に、ステップ７０６において、ステーションは選択されたリソースセットから実際のリソースを決定する。いくつかの態様では、ステーションは基地局から受信された第２メッセージに含まれる指示を利用して選択を実行してもよい。他の方面では、ステーションは他のＰＨＹチャネル又は信号及び選択されたリソースセットにおける１つ又は複数のリソースの暗黙的マッピングによって選択を実行してもよく、それによりマッピングされていないリソースを導出することができる。その後、ステップ７０７において、ステーションはそのトランシーバ（例えば、２０５）が例えば決定された実際のリソースにおいてＰＤＳＣＨ信号を受信し又はＰＵＳＣＨ信号を送信するようにする。
【００５６】
該実施形態では、異なるサービングセル構成（例えば、ＳＣＥＬＬ  １及びＳＣＥＬＬ  ２）に対して異なるリソースセットを構成する。図７に説明されるとおり、ステーションはまず特定のサービングセル構成に対応するリソースセットを選択し、次にＰＨＹチャネル又は信号を伝送するための実際のリソースを決定してもよい。決定されたＤＣＩオーバーヘッドに基づく場合、ＳＣＥＬＬ  １及びＳＣＥＬＬ  ２に対してそれぞれＮ個のリソースを構成してもよい。同様に、従来の方法（例えば、４Ｇ  ＬＴＥ）に比べて、該方法はいかなる追加のＰＨＹシグナリングオーバーヘッドがない場合にリソース割り当てスケジューリングのための候補リソースの数を倍増してもよく、リソース割り当てスケジューリングにおいて従来の方法より高い柔軟性を実現することに役立つ。
【００５７】
図８は１つ又は複数の実施形態に係る、異なる伝送波形又は多重アクセス構成に対して構成された異なるリソースセットからリソースを決定する例示的なプロセス８００を示すフローチャートである。説明のため、ここで、主に図２における無線通信装置２００の受信機２２０を参照してプロセス８００を説明する。ところが、プロセス８００は図２における無線通信装置２００の受信機２２０に限らず、無線通信装置２００の１つ又は複数の他のコンポーネント又はチップによりプロセス８００の１つ又は複数のボックス（又は、操作）を実行してもよい。無線通信装置２００は例示的な装置とも示され、且つ本明細書に説明された操作は例えば無線通信装置１１８〜１３２の１つ又は複数のいかなる適切な装置により実行されてもよい。なお、説明のため、本明細書においてプロセス８００のボックスが直列又は線形に発生すると説明される。ところが、プロセス８００の複数のボックスが並行して発生してもよい。また、プロセス８００のボックスは図示の順序で実行される必要がなく、及び／又はプロセス８００の１つ又は複数のボックスは実行される必要がなく及び／又は他の操作で代替されてもよい。
【００５８】
プロセス８００はステップ８０１で開始され、ステーション（例えば、１２８、２００）はＰＨＹチャネルに関連する構成を取得する。次に、ステップ８０２において、ステーションは基地局（例えば、１１６）からメッセージを受信することにより該構成が変換プリコーディング構成を含むと決定し、該メッセージは受信されたフレームがリソース割り当てスケジューリングのためのアップリンク伝送において変換プリコーディングを使用するかどうかの指示に含まれることを示す。いくつかの態様では、受信されたフレームは基地局のダウンリンク伝送に関連するダウンリンクフレームである。本明細書に使用される用語「変換プリコーディングを使用するアップリンク伝送」は「離散フーリエ変換スペクトラム拡散ＯＦＤＭ（又はＤＦＴ−ｓ−ＯＦＤＭ）」を指し、用語「変換プリコーディングを使用しないアップリンク伝送」は「サイクリックプレフィックスＯＦＤＭ（又はＣＰ−ＯＦＤＭ）」を指す。次に、ステップ８０３において、ステーションはアップリンク伝送において変換プリコーディングを使用するかどうかを決定する。変換プリコーディングを使用する場合、プロセス８００がステップ８０４に進む。そうでない場合、プロセス８００がステップ８０５に進む。
【００５９】
その後、アップリンク伝送において変換プリコーディングを使用すると決定する場合、ステップ８０４において、ステーションは変換プリコーディングを使用するアップリンク伝送に対応するリソースセットを選択する。ステップ８０５において、つまりアップリンク伝送において変換プリコーディングを使用しないと決定する場合、ステーションは変換プリコーディングを含まないアップリンク伝送に対応するリソースセットを選択する。次に、ステップ８０６において、ステーションは選択されたリソースセットから実際のリソースを決定する。いくつかの態様では、ステーションは基地局から受信された第２メッセージに含まれる指示を利用して選択を実行してもよい。他の方面では、ステーションは他のＰＨＹチャネル又は信号及び選択されたリソースセットにおける１つ又は複数のリソースの暗黙的マッピングによって選択を実行してもよく、それによりマッピングされていないリソースを導出することができる。その後、ステップ８０７において、ステーションはそのトランシーバ（例えば、２０５）が例えば決定された実際のリソースにおいてＰＤＳＣＨ信号を受信し又はＰＵＳＣＨ信号を送信するようにする。
【００６０】
該実施形態では、異なる伝送波形又は多重アクセススキーム（例えば、アップリンク伝送において変換プリコーディングを使用するかどうか）に対して異なるリソースセットを構成する。図８に説明されるとおり、ステーションはまず変換プリコーディングを使用するアップリンク伝送（例えば、ＤＦＴ−ｓ−ＯＦＤＭ）又は変換プリコーディングを使用しないアップリンク伝送（例えば、ＣＰ−ＯＦＤＭ）に対応するリソースセットを選択し、次にＰＨＹチャネル又は信号を伝送するための実際のリソースを決定してもよい。決定されたＤＣＩオーバーヘッドに基づく場合、変換プリコーディングを使用するアップリンク伝送又は変換プリコーディングを使用しないアップリンク伝送に対してそれぞれＮ個のリソースを構成してもよい。同様に、従来の方法（例えば、４Ｇ  ＬＴＥ）に比べて、該方法はいかなる追加のＰＨＹシグナリングオーバーヘッドがない場合にリソース割り当てスケジューリングのための候補リソースの数を倍増してもよく、リソース割り当てスケジューリングにおいて従来の方法より高い柔軟性を実現することに役立つ。
【００６１】
図９は、１つ又は複数の実施形態に係る、異なるＣＯＲＥＳＥＴ／探索空間構成に対して構成された異なるリソースセットからリソースを決定する例示的なプロセス９００を示すフローチャートである。説明のため、ここで、主に図２における無線通信装置２００の受信機２２０を参照してプロセス９００を説明する。ところが、プロセス９００は図２における無線通信装置２００の受信機２２０に限らず、無線通信装置２００の１つ又は複数の他のコンポーネント又はチップによりプロセス９００の１つ又は複数のボックス（又は、操作）を実行してもよい。無線通信装置２００は例示的な装置とも示され、且つ本明細書に説明された操作は例えば無線通信装置１１８〜１３２の１つ又は複数のいかなる適切な装置により実行されてもよい。なお、説明のため、本明細書においてプロセス９００のボックスが直列又は線形に発生すると説明される。ところが、プロセス９００の複数のボックスが並行して発生してもよい。また、プロセス９００のボックスは図示の順序で実行される必要がなく、及び／又はプロセス９００の１つ又は複数のボックスは実行される必要がなく及び／又は他の操作で代替されてもよい。
【００６２】
プロセス９００はステップ９０１で開始され、ステーション（例えば、１２８、２００）はＰＨＹチャネルに関連する構成を取得する。次に、ステップ９０２において、ステーションは基地局（例えば、１１６）からメッセージを受信することにより該構成がＣＯＲＥＳＥＴ／探索空間構成を含むと決定し、該メッセージは受信されたフレームがリソース割り当てスケジューリングのためのＣＯＲＥＳＥＴ／探索空間構成を含むことを示す。いくつかの態様では、受信されたフレームは基地局のダウンリンク伝送に関連するダウンリンクフレームである。受信されたフレームはＰＨＹチャネル／信号（例えば、ＰＤＳＣＨ、ＰＤＣＣＨ）を含んでもよい。いくつかの実施形態では、ＣＯＲＥＳＥＴ／探索空間構成はダウンリンク伝送のためのリソース割り当てスケジューリングに関連する。次に、ステップ９０３において、ステーションは、受信されたフレーム構成が第１ＣＯＲＥＳＥＴ／探索空間構成であるか、それとも第２ＣＯＲＥＳＥＴ／探索空間構成であるかを決定する。いくつかの例では、ステーションは、更にＣＯＲＥＳＥＴ／探索空間構成に関連する周期的構成及び／又は時間位置を決定する。受信されたフレーム構成が第１ＣＯＲＥＳＥＴ／探索空間構成である場合、プロセス９００がステップ９０４に進む。そうでない場合、プロセス９００がステップ９０５に進む。
【００６３】
その後、受信されたフレーム構成が第１ＣＯＲＥＳＥＴ／探索空間構成であると決定する場合、ステップ９０４において、ステーションは第１ＣＯＲＥＳＥＴ／探索空間構成に対応するリソースセットを選択する。ステップ９０５において、つまり受信されたフレーム構成が第２ＣＯＲＥＳＥＴ／探索空間構成であると決定する場合、ステーションは第２ＣＯＲＥＳＥＴ／探索空間構成に対応するリソースセットを選択する。次に、ステップ９０６において、ステーションは、選択されたリソースセットから実際のリソースを決定する。いくつかの態様では、ステーションは、基地局から受信された第２メッセージに含まれる指示を利用して選択を実行してもよい。他の方面では、ステーションは他のＰＨＹチャネル又は信号及び選択されたリソースセットにおける１つ又は複数のリソースの暗黙的マッピングによって選択を実行してもよく、それによりマッピングされていないリソースを導出することができる。その後、ステップ９０７において、ステーションはそのトランシーバ（例えば、２０５）が例えば決定された実際のリソースにおいてＰＤＳＣＨ信号を受信し又はＰＵＳＣＨ信号を送信するようにする。
【００６４】
該実施形態では、異なるＣＯＲＥＳＥＴ／探索空間構成（例えば、それらの周期的構成及び／又は時間位置）に対して異なるリソースセットを構成する。図９に説明されるとおり、ステーションはまず特定のＣＯＲＥＳＥＴ／探索空間構成に対応するリソースセットを選択し、次にＰＨＹチャネル又は信号を伝送するための実際のリソースを決定してもよい。決定されたＤＣＩオーバーヘッドに基づく場合、第１ＣＯＲＥＳＥＴ／探索空間構成及び第２ＣＯＲＥＳＥＴ／探索空間構成に対してそれぞれＮ個のリソースを構成してもよい。同様に、従来の方法（例えば、４Ｇ  ＬＴＥ）に比べて、該方法はいかなる追加のＰＨＹシグナリングオーバーヘッドがない場合にリソース割り当てスケジューリングのための候補リソースの数を倍増してもよく、リソース割り当てスケジューリングにおいて従来の方法より高い柔軟性を実現することに役立つ。
【００６５】
図１０は、本技術を実現できる１つ又は複数の実施形態の電子システム１０００を模式的に示す図である。例えば、電子システム１０００はネットワーク装置、メディアコンバータ、デスクトップパソコン、ラップトップパソコン、タブレットコンピュータ、サーバ、スイッチ、ルータ、基地局、受信機、電話又はネットワーク伝送信号によるいかなる汎用の電子装置であってもよい。このような電子システム１０００は様々なタイプのコンピュータ可読媒体及び様々な他のタイプのコンピュータ可読媒体のインターフェースを含む。１つ又は複数の実施形態では、電子システム１０００は無線通信装置１１８〜１３２のうちの１つ又は複数であり、又はそれらを含む。電子システム１０００はバス１００８、１つ又は複数の処理ユニット１０１２、システムメモリ１００４、読み出し専用メモリ（ＲＯＭ）１０１０、固定記憶装置１００２、入力装置インターフェース１０１４、出力装置インターフェース１００６及びネットワークインターフェース１０１６、又はそれらのサブセット及び変形を含む。
【００６６】
バス１００８は、全体的に電子システム１０００の多くの内部装置に通信的に接続されるすべてのシステムバス、周辺装置バス及びチップセットバスを示す。１つ又は複数の実施形態では、バス１００８は１つ又は複数の処理ユニット１０１２をＲＯＭ１０１０、システムメモリ１００４及び固定記憶装置１００２に通信的に接続する。本開示のプロセスを実行するために、１つ又は複数の処理ユニット１０１２はこれらの様々な記憶ユニットから実行しようとする命令及び処理しようとするデータを検索する。異なる実施形態では、１つ又は複数の処理ユニット１０１２は単一のプロセッサ又はマルチコアプロセッサであってもよい。
【００６７】
ＲＯＭ１０１０には１つ又は複数の処理ユニット１０１２及び電子システムの他のモジュールに必要な静的データ及び命令が記憶される。一方、固定記憶装置１００２は読み書きメモリ装置である。固定記憶装置１００２は電子システム１０００がシャットダウンされても命令及びデータを記憶できる不揮発性記憶ユニットである。本開示の１つ又は複数の実施形態は大容量記憶装置（例えば、磁気ディスク又は光ディスク及びそれに対応するディスクドライブ）を固定記憶装置１００２として使用する。
【００６８】
他の実施形態はリムーバブル記憶装置（例えば、フロッピーディスク、ＵＳＢメモリ及びそれに対応するディスクドライブ）を固定記憶装置１００２として使用する。固定記憶装置１００２と同様に、システムメモリ１００４は読み書きメモリ装置である。しかしながら、固定記憶装置１００２と異なり、システムメモリ１００４はランダムアクセスメモリ等の揮発性読み書きメモリである。システムメモリ１００４には１つ又は複数の処理ユニット１０１２が実行する際に必要ないかなる命令及びデータが記憶される。１つ又は複数の実施形態では、本開示のプロセスはシステムメモリ１００４、固定記憶装置１００２及び／又はＲＯＭ１０１０に記憶される。１つ又は複数の実施形態の過程を実行するために、１つ又は複数の処理ユニット１０１２はこれらの様々な記憶ユニットから実行しようとする命令及び処理しようとするデータを検索する。
【００６９】
バス１００８が更に入力装置インターフェース１０１４及び出力装置インターフェース１００６に接続される。入力装置インターフェース１０１４によってユーザは電子システムへ情報を伝達して命令を選択することができる。入力装置インターフェース１０１４とともに使用される入力装置は例えば英数字キーボード及び指示装置（「カーソル制御装置」とも称される）を含む。出力装置インターフェース１００６によって例えば電子システム１０００の生成した画像を表示することができる。出力装置インターフェース１００６とともに使用される出力装置は例えばプリンタ及び表示装置を含み、該表示装置は例えば液晶ディスプレイ（ＬＣＤ）、発光ダイオード（ＬＥＤ）ディスプレイ、有機発光ダイオード（ＯＬＥＤ）ディスプレイ、フレキシブルディスプレイ、フラットパネルディスプレイ、ソリッドステートディスプレイ、プロジェクタ又は情報を出力するためのいかなる他の装置である。１つ又は複数の実施形態では、入力装置だけでなく出力装置としての装置、例えばタッチパネルを含む。これらの実施形態では、ユーザに提供するフィードバックは視覚フィードバック、聴覚フィードバック又は触覚フィードバック等のいかなる形式の感覚フィードバックであってもよく、音、音声又は触覚入力のいかなる形式でユーザからの入力を受信してもよい。
【００７０】
最後に、図１０に示すように、バス１００８は更に１つ又は複数のネットワークインターフェース１０１６を介して電子システム１０００を１つ又は複数のネットワーク（図示せず）に結合してもよい。このような方式において、コンピュータは１つ又は複数のコンピュータネットワーク（例えば、ローカルエリヤネットワーク（「ＬＡＮ」）、広域ネットワーク（「ＷＡＮ」）又はイントラネット又はネットワークのネットワーク（例えば、インターネット））の一部であってもよい。電子システム１０００のいかなる又はすべてのコンポーネントは本開示と組み合わせて使用されてもよい。
【００７１】
便利のために、以下に本開示の各面の様々な例をエントリに説明する。これらが例示的なものであって、本技術を制限するためのものではない。
【００７２】
エントリＡ１
広帯域セルラーネットワークにおける無線通信に役立つステーションであって、１つ又は複数のメモリと、１つ又は複数のメモリに結合される１つ又は複数のプロセッサと、を備え、前記１つ又は複数のプロセッサは、物理層（ＰＨＹ）チャネル又は信号に関連する複数のドメインのうちの少なくとも１つのドメインにおける複数のリソース構成のうちの第１リソース構成を決定し、複数のドメインのうちの各ドメインが復調用参照信号マッピングタイプ、帯域幅部分構成、キャリアアグリゲーションにおけるコンポーネントキャリア、サービングセル、アップリンク伝送のための変換プリコーディング又は制御リソースセット／探索空間構成のうちの１つに対応し、第１リソース構成に対応する第１リソースセットを選択し、選択された第１リソースセットにおける複数のリソースから実際のリソースを決定し、対応するＰＨＹチャネル又は信号を送信又は受信するために、決定された実際のリソースを占有するようにするように構成される。
【００７３】
エントリＡ２
広帯域セルラーネットワークにおける無線通信に役立つステーションであって、トランシーバと、１つ又は複数のメモリと、１つ又は複数のメモリに結合される１つ又は複数のプロセッサと、を備え、該１つ又は複数のプロセッサは、物理層（ＰＨＹ）チャネルに関連する構成を取得し、複数のリソースから該構成に対応するリソースセットを選択し、選択されたリソースセットから実際のリソースを決定し、決定された実際のリソースにおいて、トランシーバが対応するＰＨＹ信号を送信又は受信するようにするように構成される。
【００７４】
エントリＢ１
方法であって、物理層（ＰＨＹ）チャネル又は信号が複数のドメインのうちの１つのドメインにおいて複数のリソース構成のうちの第１リソース構成を含むか、それとも複数のリソース構成のうちの第２リソース構成を含むかを決定し、複数のドメインのうちの各ドメインが復調用参照信号（ＤＭ−ＲＳ）マッピングタイプ、帯域幅部分構成、キャリアアグリゲーションにおけるコンポーネントキャリア、サービングセル、アップリンク伝送のための変換プリコーディング又は制御リソースセット（ＣＯＲＥＳＥＴ）／探索空間構成のうちの１つに対応することと、前記ＰＨＹチャネル又は信号が前記第１リソース構成を含む場合、該第１リソース構成に対応する第１リソースセットを選択することと、前記ＰＨＹチャネル又は信号が前記第２リソース構成を含む場合、該第２リソース構成に対応する第２リソースセットを選択することと、選択された第１リソースセット又は選択された第２リソースセットにおける複数のリソースから実際のリソースを決定することと、対応するＰＨＹチャネル又は信号を送信又は受信するために、決定された実際のリソースを占有することと、を含む。
【００７５】
エントリＢ２
方法であって、物理層（ＰＨＹ）チャネルに関連する構成を取得することと、複数のリソースから該構成に対応するリソースセットを選択することと、選択されたリソースセット又は選択された第２リソースセットから実際のリソースを決定することと、決定された実際のリソースにおいて、トランシーバが対応するＰＨＹ信号を送信又は受信するようにすることと、を含む。
【００７６】
エントリＣ１
コンピュータ実行可能命令が記憶される非一時的コンピュータ可読記憶媒体であって、該命令が１つ又は複数のプロセッサにより実行されるとき、１つ又は複数のプロセッサは、物理層（ＰＨＹ）チャネル又は信号に関連する複数のドメインのうちの少なくとも１つのドメインにおける複数のリソース構成のうちの第１リソース構成を決定し、複数のドメインのうちの各ドメインが復調用参照信号マッピングタイプ、帯域幅部分構成、キャリアアグリゲーションにおけるコンポーネントキャリア、サービングセル、アップリンク伝送のための変換プリコーディング又は制御リソースセット／探索空間構成のうちの１つに対応することと、第１リソース構成に対応する第１リソースセットを選択することと、選択された第１リソースセットにおける複数のリソースから実際のリソースを決定することと、対応するＰＨＹチャネル又は信号を送信又は受信するために、決定された実際のリソースを占有することと、を含む操作を実行する。
【００７７】
エントリＣ２
コンピュータ実行可能命令が記憶される非一時的コンピュータ可読記憶媒体であって、該命令が１つ又は複数のプロセッサにより実行されるとき、１つ又は複数のプロセッサは、物理層（ＰＨＹ）チャネルに関連する構成を取得することと、複数のリソースから該構成に対応するリソースセットを選択することと、選択されたリソースセットから実際のリソースを決定することと、決定された実際のリソースにおいて、トランシーバが対応するＰＨＹ信号を送信又は受信するようにすることと、を含む操作を実行する。
【００７８】
以下、１つ又は複数の方面にエントリを追加する例を説明する。
【００７９】
エントリＡ１
１つ又は複数のプロセッサは、基地局から受信された第１メッセージを処理し、第１メッセージに含まれる指示に従って第１リソースセットを選択するようにするように構成される。
【００８０】
エントリＡ２
１つ又は複数のプロセッサは、基地局から受信された第２メッセージを処理し、第２メッセージに含まれる指示に従って実際のリソースを決定するようにするように構成され、第２メッセージが第１メッセージの後に位置する。
【００８１】
エントリＡ３
１つ又は複数のプロセッサは、基地局から受信された第１メッセージを処理し、第１メッセージから復調用参照信号（ＤＭ−ＲＳ）マッピングタイプ、帯域幅部分（ＢＷＰ）構成、コンポーネントキャリア（ＣＣ）、サービングセル、伝送波形又は多重アクセススキームのうちの１つ又は複数の所定制御情報を取得し、第１メッセージに含まれる指示及び第１メッセージから取得された所定制御情報に基づいて第１リソースセットを選択して、第１メッセージの前に第１メッセージを受信するようにするように構成される。
【００８２】
エントリＡ４
復調用参照信号（ＤＭ−ＲＳ）マッピングタイプ、帯域幅部分（ＢＷＰ）構成、コンポーネントキャリア（ＣＣ）、サービングセル、アップリンク（ＵＬ）伝送において使用される変換プリコーディングのうちの１つ又は複数の所定制御情報に基づいて第１リソースセットを選択する。
【００８３】
エントリＡ５
選択された第１リソースセットにおけるリソースと１つ又は複数の他のＰＨＹチャネル又は信号との暗黙的マッピングによって実際のリソースを決定する。
【００８４】
エントリＡ６
ＰＨＹチャネルは物理ダウンリンク（ＤＬ）共有チャネル（ＰＤＳＣＨ）、物理アップリンク（ＵＬ）共有チャネル（ＰＵＳＣＨ）、物理ＤＬ制御チャネル（ＰＤＣＣＨ）、物理ＵＬ制御チャネル（ＰＵＣＣＨ）、物理ランダムアクセスチャネル（ＰＲＡＣＨ）を含み、ＰＨＹ信号がチャネル状態情報参照信号（ＣＳＩ−ＲＳ）、スケジューリング要求（ＳＲ）又はサウンディング参照信号（ＳＲＳ）に対応する。
【００８５】
エントリＡ７
複数のリソース構成のそれぞれがＤＬ  ＰＨＹチャネル又はＵＬ  ＰＨＹチャネルに対する複数の復調用参照信号（ＤＭ−ＲＳ）マッピングタイプのうちの異なるＤＭ−ＲＳマッピングタイプに対応する。
【００８６】
エントリＡ８
複数のリソース構成のそれぞれが複数の帯域幅部分（ＢＷＰ）構成のうちの異なるＢＷＰ構成に対応する。
【００８７】
エントリＡ９
複数のリソース構成のそれぞれがキャリアアグリゲーションにおける複数のコンポーネントキャリア（ＣＣ）のうちの異なるＣＣに対応する。
【００８８】
エントリＡ１０
複数のリソース構成のそれぞれが複数のサービングセルのうちの異なるサービングセルに対応する。
【００８９】
エントリＡ１１
アップリンク伝送において変換プリコーディングを使用する場合、複数のリソース構成のそれぞれが複数の伝送波形のうちの異なる伝送波形に対応する。
【００９０】
エントリＡ１２
アップリンク伝送において変換プリコーディングを使用する場合、複数のリソース構成のそれぞれが多重アクセススキームのうちの異なる接続方式に対応する。
【００９１】
エントリＡ１３
複数のリソース構成のそれぞれが複数の物理ダウンリンク制御チャネル（ＰＤＣＣＨ）構成のうちの異なるＰＤＣＣＨ構成に対応する。
【００９２】
エントリＡ１４
ＰＨＹチャネルに関連する構成は、復調用参照信号（ＤＭ−ＲＳ）マッピングタイプ、帯域幅部分（ＢＷＰ）構成、コンポーネントキャリア、サービングセル、伝送波形、多重アクセススキーム又は物理ダウンリンク制御チャネル（ＰＤＣＣＨ）構成を含む。
【００９３】
エントリＡ１５
トランシーバは基地局から第１メッセージを受信して、第１メッセージに基づいて構成を取得するように構成される。
【００９４】
エントリＡ１６
トランシーバは基地局から第２メッセージを受信して、第２メッセージに含まれる指示に従って実際のリソースを決定するように構成される。
【００９５】
エントリＡ１７
異なる構成が、異なるリソースセットに対応する。
【００９６】
エントリＡ１８
ＰＨＹチャネルに複数のリソースセットを構成し、異なる構成が、異なるリソースセットに対応することは、各ＤＭ−ＲＳマッピングタイプが各リソースセットに対応すること、又は各ＢＷＰ構成が各リソースセットに対応すること、又は各コンポーネントキャリアが各リソースセットに対応すること、又は各サービングセルが各リソースセットに対応すること、又は各伝送波形が各リソースセットに対応すること、又は多重アクセススキームのそれぞれが各リソースセットに対応すること、又は各ＰＤＣＣＨ構成が各リソースセットに対応することを含む。
【００９７】
エントリＢ１
複数のドメインのうちの１つのドメインは復調用参照信号（ＤＭ−ＲＳ）マッピングタイプを含み、第１リソース構成が物理ダウンリンク共有チャネル（ＰＤＳＣＨ）／物理アップリンク共有チャネル（ＰＵＳＣＨ）マッピングタイプＡに対応し、第２リソース構成がＰＤＳＣＨ／ＰＵＳＣＨマッピングタイプＢに対応する。
【００９８】
エントリＢ２
複数のドメインのうちの１つのドメインは帯域幅部分（ＢＷＰ）に対応し、第１リソース構成が第１ＢＷＰ構成に対応し、第２リソース構成が第２ＢＷＰ構成に対応する。
【００９９】
エントリＢ３
複数のドメインのうちの１つのドメインはＰＨＹチャネル又は信号に対するキャリアアグリゲーションにおけるコンポーネントキャリアに対応し、第１リソース構成が第１コンポーネントキャリアに対応し、第２リソース構成が第２コンポーネントキャリアに対応する。
【０１００】
エントリＢ４
複数のドメインのうちの１つのドメインはＰＨＹチャネル又は信号に対するサービングセルに対応し、第１リソース構成が第１サービングセルに対応し、第２リソース構成が第２サービングセルに対応する。
【０１０１】
エントリＢ５
複数のドメインのうちの１つのドメインはアップリンク伝送における変換プリコーディングに対応し、第１リソース構成が変換プリコーディングを有するアップリンク伝送の第１伝送波形に対応し、第２リソース構成が変換プリコーディングを含まないアップリンク伝送の第２伝送波形に対応する。
【０１０２】
エントリＢ６
複数のドメインのうちの１つのドメインは制御リソースセット（ＣＯＲＥＳＥＴ）／探索空間構成に対応し、第１リソース構成が第１ＣＯＲＥＳＥＴ／探索空間構成に対応し、第２リソース構成が第２ＣＯＲＥＳＥＴ／探索空間構成に対応する。
【０１０３】
エントリＢ７
ＰＨＹチャネルに関連する構成は、復調用参照信号（ＤＭ−ＲＳ）マッピングタイプ、帯域幅部分（ＢＷＰ）構成、コンポーネントキャリア、サービングセル、伝送波形、多重アクセススキーム又は物理ダウンリンク制御チャネル（ＰＤＣＣＨ）構成を含む。
【０１０４】
エントリＢ８
トランシーバは基地局から第１メッセージを受信して、第１メッセージに基づいて構成を取得するように構成される。
【０１０５】
エントリＢ９
トランシーバは基地局から第２メッセージを受信して、第２メッセージに含まれる指示に従って実際のリソースを決定するように構成される。
【０１０６】
エントリＢ１０
異なる構成が、異なるリソースセットに対応する。
【０１０７】
エントリＢ１１
ＰＨＹチャネルに複数のリソースセットを構成し、異なる構成が、異なるリソースセットに対応することは、各ＤＭ−ＲＳマッピングタイプが各リソースセットに対応すること、又は各ＢＷＰ構成が各リソースセットに対応すること、又は各コンポーネントキャリアが各リソースセットに対応すること、又は各サービングセルが各リソースセットに対応すること、又は各伝送波形が各リソースセットに対応すること、又は多重アクセススキームのそれぞれが各リソースセットに対応すること、又は各ＰＤＣＣＨ構成が各リソースセットに対応することを含む。
【０１０８】
エントリＣ１
操作は基地局から受信されたダウンリンクフレームに含まれる無線リソース制御（ＲＲＣ）シグナリングを取得することを含み、取得されたＲＲＣシグナリングから第１リソース構成及び第１リソースセットを決定する。
【０１０９】
エントリＣ２
操作はダウンリンクフレームに含まれるダウンリンク制御情報（ＤＣＩ）を取得することを含み、ＤＣＩが選択された第１リソースセットにおける実際のリソースに対応するインデックスを示す。
【０１１０】
エントリＣ３
ＰＨＹチャネルに関連する構成は、復調用参照信号（ＤＭ−ＲＳ）マッピングタイプ、帯域幅部分（ＢＷＰ）構成、コンポーネントキャリア、サービングセル、伝送波形、多重アクセススキーム又は物理ダウンリンク制御チャネル（ＰＤＣＣＨ）構成を含む。
【０１１１】
エントリＣ４
トランシーバは基地局から第１メッセージを受信して、第１メッセージに基づいて構成を取得するように構成される。
【０１１２】
エントリＣ５
トランシーバは基地局から第２メッセージを受信して、第２メッセージに含まれる指示に従って実際のリソースを決定するように構成される。
【０１１３】
エントリＣ６
異なる構成が、異なるリソースセットに対応する。
【０１１４】
エントリＣ７
ＰＨＹチャネルに複数のリソースセットを構成し、異なる構成が、異なるリソースセットに対応することは、各ＤＭ−ＲＳマッピングタイプが各リソースセットに対応すること、又は各ＢＷＰ構成が各リソースセットに対応すること、又は各コンポーネントキャリアが各リソースセットに対応すること、又は各サービングセルが各リソースセットに対応すること、又は各伝送波形が各リソースセットに対応すること、又は多重アクセススキームのそれぞれが各リソースセットに対応すること、又は各ＰＤＣＣＨ構成が各リソースセットに対応することを含む。
【０１１５】
方法であって、本明細書に説明される１つ又は複数の方法、操作又はその部分を含む。
【０１１６】
装置であって、本明細書に記載の１つ又は複数の方法、操作又はその部分を実行することに適する装置を備える。
【０１１７】
ハードウェア装置であって、本明細書に記載の１つ又は複数の方法、操作又はその部分を実行するように構成される回路を備える。
【０１１８】
装置であって、本明細書に記載の１つ又は複数の方法、操作又はその部分を実行することに適する装置を備える。
【０１１９】
装置であって、本明細書に記載の１つ又は複数の方法、操作又はその部分を実行するように操作できるコンポーネントを備える。
【０１２０】
１つの方面では、方法は操作、命令又は機能であってもよいが、逆も同様である。１つの方面では、他の１つ又は複数のエントリ、１つ又は複数の語句、１つ又は複数のセンテンス、１つ又は複数のフレーズ、１つ又は複数の段落及び／又は１つ又は複数の請求項に記載のいくつか又はすべての語句（例えば、命令、操作、機能又はコンポーネント）に含ませるために、エントリを修正してもよい。審査期間に、１項又は複数項の請求項を１項又は複数項の他の請求項に属するように修正してもよく、且つ１項又は複数項の請求項を、１項又は複数項の特徴を削除するように修正してもよい。
【０１２１】
１つ又は複数の命令を符号化した有形のコンピュータ可読記憶媒体（又は、１つ又は複数タイプの複数の有形のコンピュータ可読記憶媒体）を使用して、本開示の範囲内の実施形態を部分的又は全体的に実現することができる。有形のコンピュータ可読記憶媒体は本質的に非一時的なものであってもよい。
【０１２２】
コンピュータ可読記憶媒体は汎用又は専用のコンピューティングデバイスにより読み取り、書込み又は他の方式でアクセスすることのできるいかなる記憶媒体であってもよく、コンピューティングデバイスは命令を実行できるいかなる処理電子装置及び／又は処理回路を含む。コンピュータ可読媒体は例えばいかなる揮発性半導体メモリを含んでもよいが、それらに限らない。該コンピュータ可読媒体は更にいかなる不揮発性半導体メモリを含んでもよい。
【０１２３】
また、コンピュータ可読記憶媒体はいかなる非半導体メモリ、例えば光ディスク記憶装置、磁気ディスク記憶装置、磁気テープ、他の磁気記憶装置、又は１つ又は複数の命令を記憶できるいかなる他の媒体を含んでもよい。いくつかの実施形態では、有形のコンピュータ可読記憶媒体は直接コンピューティングデバイスに結合されてもよいが、他の実施形態では、有形のコンピュータ可読記憶媒体は例えば１つ又は複数の有線を介して接続され、１つ又は複数の無線を介して接続され、又はその任意の組み合わせを介して間接的にコンピューティングデバイスに結合されてもよい。
【０１２４】
命令は直接実行できるものであってもよいし、実行可能命令を開発することに用いられてもよい。例えば、命令は実行可能又は実行不可能なマシンコードとして実現され、又は高級言語の命令として実現されてもよく、実行可能又は実行不可能なマシンコードを発生させるようにコンパイルできる。なお、命令は更にデータとして実現されてもよいし、データを含んでもよい。コンピュータ実行可能命令は更にいかなるフォーマットで構成されてもよく、ルーチン、サブルーチン、プログラム、データ構造、オブジェクト、モジュール、アプリケーションプログラム、アプレット、機能等を含む。当業者であれば意識されるように、命令の数、構造、順序及び構成を含むがそれらに限らない詳細は基礎となる論理、機能、処理及び出力を変化せずに著しく変化してもよい。
【０１２５】
以上の検討は主にソフトウェアを実行するマイクロプロセッサ又はマルチコアプロセッサに関するが、１つ又は複数の実施形態は特定用途向け集積回路（ＡＳＩＣ）又はフィールドプログラマブルゲートアレイ（ＦＰＧＡ）等の１つ又は複数の集積回路により実行される。１つ又は複数の実施形態では、このような集積回路は回路そのものに記憶される命令を実行する。
【０１２６】
当業者であれば理解されるように、本明細書に説明される様々な説明的なブロック、モジュール、素子、コンポーネント、方法及びアルゴリズムは電子ハードウェア、コンピュータソフトウェア又はそれらの組み合わせで実現できる。ハードウェアとソフトウェアとの交換性を説明するために、以上はその機能の方面で全体的に様々な説明的なブロック、モジュール、素子、コンポーネント、方法及びアルゴリズムを説明した。これらの機能をハードウェアそれともソフトウェア方式で実行するかは、システム全体の特定応用及び設計制約条件によって決定される。当業者が各特定応用に対して異なる方法でここの説明される機能を実現することができる。本技術の範囲を逸脱せずに、様々なコンポーネント及びブロックに対して異なる配置を行ってもよい（例えば、異なる順序で配置し又は異なる方式で分割する）。
【０１２７】
理解されるべきように、開示される過程におけるボックスのいかなる特定順序又は段階は例示的な方法の説明である。理解されるべきように、設計の好みに基づいて過程におけるボックスの特定順序又は段階を改めて配置し、又はすべての図示のボックスを実行してもよい。いかなるボックスは同時に実行されてもよい。１つ又は複数の実施形態では、マルチタスク及び並行処理が有利である可能性がある。なお、上記実施例における様々なシステムコンポーネントの分離はすべての実施例においていずれもこのような分離を必要とすると理解されるべきではなく、理解されるべきように、説明されるプログラムコンポーネント及びシステムは一般的に単一のソフトウェア製品に統合され又は複数のソフトウェア製品にパッケージされてもよい。
【０１２８】
本願の明細書及びいかなる請求項に使用される用語「基地局」「ステーション」「受信機」「送信機」「コンピュータ」「サーバ」「プロセッサ」及び「メモリ」はいずれも電子装置又は他の技術的装置を指す。これらの用語は一人又は人だかりを含まない。説明のため、用語「表示（ｄｉｓｐｌａｙ）」又は「表示（ｄｉｓｐｌａｙｉｎｇ）」は電子装置において表示することを意味する。
【０１２９】
本明細書に使用される一連の項の前のフレーズ「少なくとも１つ」、用語「及び」又は「又は」で分離する任意の項はリスト全体を修飾するものであるが、項の各メンバー（例えば、各項）を修飾するものではない。フレーズ「少なくとも１つ」は列挙した各項のうちの少なくとも１つを選択する必要がないが、該フレーズとは任意の項のうちの少なくとも１つ、及び／又は任意の項の組み合わせのうちの少なくとも１つ、及び／又は各項のうちの少なくとも１つを含むことを意味する。例えば、フレーズ「Ａ、Ｂ及びＣのうちの少なくとも１つ」又は「Ａ、Ｂ又はＣのうちの少なくとも１つ」はそれぞれ「Ａのみがある」「Ｂのみがある」又は「Ｃのみがある」「Ａ、Ｂ及びＣのいかなる組み合わせ」及び／又は「Ａ、Ｂ及びＣのうちの少なくとも１つ」を指す。
【０１３０】
用語「ように構成される」「ように操作できる」及び「ようにプログラミングされる」とはオブジェクトに対していかなる特定の有形又は無形修正を行うことを意味しないが、交換可能に使用できるように意図される。１つ又は複数の実施形態では、プロセッサは操作又はコンポーネントを監視・制御するように構成され、プロセッサが操作を監視・制御するようにプログラミングされ又は操作を監視・制御するようにプロセッサを操作できることも意味する。同様に、プロセッサはコードを実行するように構成され、プロセッサがコードを実行するようにプログラミングされ又はコードを実行するようにプロセッサを操作できると解釈されてもよい。
【０１３１】
１つの方面、該方面、他の方面、いくつかの方面、１つ又は複数の方面、一実施形態、該実施形態、他の実施形態、いくつかの実施形態、１つ又は複数の実施形態、１つの実施例、該実施例、他の実施例、いくつかの実施例、１つ又は複数の実施例、構成、該構成、他の構成、いくつかの構成、１つ又は複数の構成、本技術、本開示、本願及びこれらの他の変形等のフレーズは便利のためのものであり、このようなフレーズに関連する開示が本技術にとって不可欠なものであり又はこのような開示が本技術のすべての構成に適用されることを意味しない。このようなフレーズに関連する開示はすべての構成、又は１つ又は複数の構成に適用されてもよい。このようなフレーズに関連する開示は１つ又は複数の例を提供してもよい。１つの方面又はいくつかの方面等のフレーズは１つ又は複数の方面を指してもよく、逆も同様であり、且つ同様に他の上記フレーズに適用される。
【０１３２】
本明細書に使用される語句「例示的」は「例、例文又は説明として使用される」を示すことに用いられる。本明細書に説明される「例示的」又は「例」のいかなる実施例は必ず他の実施例より優れ、又は他の実施例に役立つと解釈されるわけにはいかない。なお、明細書又は特許請求の範囲に使用される用語「含む（ｉｎｃｌｕｄｅ）」「有する（ｈａｖｅ）」等については、このような用語は用語「備える（ｃｏｍｐｒｉｓｅ）」と類似する用語を特許請求項の過渡的な言葉として解釈する方式で包含的であるように意図される。
【０１３３】
当業者であれば理解され又は以後に理解するように、本開示の内容にわたって説明される各面の要素のすべての構造及び機能的等価物はいずれも援用により明確に本明細書に取り込まれており、特許請求の範囲に含まれるように意図される。なお、特許請求の範囲にこのような開示が明確に記載されるかどうかにかかわらず、本明細書に開示されるいかなる内容はいずれも公衆に捧げるように意図されない。該要素がフレーズ「〇〇のための装置（ｍｅａｎｓ  ｆｏｒ）」で明確に記載されるものではなく、又は方法請求項の場合にフレーズ「〇〇のためのステップ」で該要素を記載しない限り、３５Ｕ．Ｓ．Ｃ．§１１２第６段目の規定に基づいていかなる請求項の要素を解釈すべきではない。
【０１３４】
当業者が本明細書に説明される各方面を実施するために、上記説明を提供する。これらの方面に対する様々な修正は当業者に明らかであり、且つ本明細書に制限される一般的な原理を他の方面に応用してもよい。従って、特許請求の範囲は本明細書に示される方面に制限されるものではなく、特許請求の範囲に一致する完全な範囲に合致すべきであり、特に断りがない限り、単数形式で要素を言及することは、「１つ且つ１つしかない」を示すように意図されないが、「１つ又は複数」を示すように意図される。特に断りがない限り、用語「いくつか」は１つ又は複数を指す。男性代名詞（例えば、彼の）は女性及び中性の性別（例えば、彼女の及びその）を含むが、逆も同様である。タイトル及びサブタイトルがある場合、それらは便利のためのものであって、本開示を制限するためのものではない。
【図１】
2021506155.tif 000003
【図２】
2021506155.tif 000004
【図３】
2021506155.tif 000005
【図４】
2021506155.tif 000006
【図５】
2021506155.tif 000007
【図６】
2021506155.tif 000008
【図７】
2021506155.tif 000009
【図８】
2021506155.tif 000010
【図９】
2021506155.tif 000011
【図１０】
2021506155.tif 000012
【国際調査報告】
2021506155.tif 000013
2021506155.tif 000014
2021506155.tif 000015